(57)【要約】【課題】一般電話などの監視センター以外からの電話による電話呼び出し状態をなくして、昇降機に異常が発生したならば、監視装置から監視センターへの異常通報を確実に行わせるようにした昇降機遠隔監視システムの提供を目的とする。【解決手段】上記目的は、昇降機を制御する制御盤２と、この制御盤２に接続されて昇降機を監視する監視装置３と、この監視装置３に電話回線４を介して接続される監視センター５と、監視装置３に内蔵されて電話回線３を介して送信元電話番号を受信するナンバーディスプレ８とを備えた昇降機遠隔監視システムにおいて、ナンバーディスプレ８で受信した前記送信元電話番号が監視センター５の電話番号以外のとき、前記送信元電話番号の送信元との間で電話回線４を接続した後、直ちに電話回線４を切断するように、監視装置３を構成することで、解決できる。【選択図】図２
2005272062.tif 000002
【特許請求の範囲】
【請求項１】
昇降機を制御する制御盤と、この制御盤に接続されて前記昇降機を監視する監視装置と、この監視装置に電話回線を介して接続される監視センターと、前記監視装置に内蔵されて前記電話回線を介して送信元電話番号を受信するナンバーディスプレとを少なくとも備えた昇降機遠隔監視システムにおいて、前記ナンバーディスプレで受信した前記送信元電話番号が前記監視センターの電話番号以外のとき、前記送信元電話番号の送信元との間で前記電話回線を接続した後、前記電話回線を切断するように、前記監視装置を構成したことを特徴とする昇降機遠隔監視システム。
【請求項２】
昇降機を制御する制御盤と、この制御盤に接続されて前記昇降機を監視する監視装置と、この監視装置に電話回線を介して接続される監視センターと、前記監視装置に内蔵されて前記電話回線を介して送信元電話番号を受信するナンバーディスプレとを少なくとも備えた昇降機遠隔監視システムにおいて、前記監視装置に音声合成装置を内蔵させると共に、前記ナンバーディスプレで受信した前記送信元電話番号が前記監視センターの電話番号以外のとき、前記送信元電話番号の送信元との間で前記電話回線を接続して、前記音声合成装置により間違い電話である旨の音声を前記送信元電話番号の送信元に送信した後、直ちに前記電話回線を切断するように、前記監視装置を構成したことを特徴とする昇降機遠隔監視システム。
【請求項３】
前記監視装置に内蔵されたモデムに、前記ナンバーディスプレの機能を含ませるようにしたことを特徴とする請求項１若しくは２記載の昇降機遠隔監視システム。
【発明の詳細な説明】
【技術分野】
【０００１】
本発明は、ナンバーディスプレを利用するようにした昇降機遠隔監視システムに関するものである。
【背景技術】
【０００２】
従来の昇降機遠隔監視システムとしては、監視装置に受信可能な送信元電話番号を保存すると共に、監視装置にナンバーディスプレアダプタ装置を接続しておき、監視装置に電話が掛かってきた際、その電話の電話番号をナンバーディスプレアダプタ装置に取り込み、その電話番号と監視装置に保存された送信元電話番号とを照合した結果、その両者が一致した場合にのみ、電話回線を接続するようにしたものが知られていた（例えば、特許文献１参照）。
【特許文献１】特開２００３−２１２４４７号公報（段落番号００８２〜段落番号００８３、図１）
【発明の開示】
【発明が解決しようとする課題】
【０００３】
しかしながら、上述した昇降機遠隔監視システムは、監視装置に掛かってきた電話の電話番号と監視装置に保存された送信元電話番号とが一致した場合にのみ、電話回線を接続するようにし、しかも、監視装置に保存された送信元電話番号を監視センターの電話番号のみとしているため、一般電話などの監視センター以外からの電話が、監視装置に掛かってきた場合には、その電話は監視装置に接続されないので、電話呼び出しが継続したままの状態となる。
【０００４】
この電話呼び出しが継続したままの状態のときに、昇降機に異常が発生してしまい、監視装置から監視センターに電話回線を利用して異常通報を行おうとしても、電話呼び出し状態であるため、その異常通報を行うことができないという問題があった。
【０００５】
本発明は、上述した問題点に鑑みてなされたもので、その目的は、一般電話などの監視センター以外からの電話による電話呼び出し状態をなくして、昇降機に異常が発生したならば、監視装置から監視センターへの異常通報を確実に行わせる昇降機遠隔監視システムを提供するにある。
【課題を解決するための手段】
【０００６】
上記目的は、昇降機を制御する制御盤と、この制御盤に接続されて前記昇降機を監視する監視装置と、この監視装置に電話回線を介して接続される監視センターと、前記監視装置に内蔵されて前記電話回線を介して送信元電話番号を受信するナンバーディスプレとを少なくとも備えた昇降機遠隔監視システムにおいて、前記ナンバーディスプレで受信した前記送信元電話番号が前記監視センターの電話番号以外のとき、前記送信元電話番号の送信元との間で前記電話回線を接続した後、前記電話回線を切断するように、前記監視装置を構成することにより、達成できる。
【発明の効果】
【０００７】
本発明によれば、監視センター以外からの電話が掛かってきた場合には、その電話による電話呼び出し状態が即座に解除させられるので、電話呼び出し状態のために、監視装置から監視センターへの異常通報が阻止されてしまうことを防ぐことのできる昇降機遠隔監視システムを提供できた。
【発明を実施するための最良の形態】
【０００８】
以下、本発明に係る昇降機遠隔監視システムの一実施形態を図面に基づいて説明する。図１は、本発明の一実施形態を示す昇降機遠隔監視システム全体の機能ブロック図である。図２は、本発明の一実施形態を示す昇降機遠隔監視システムに係わる監視装置の機能ブロック図である。図３は本発明の一実施形態に係わる昇降機遠隔監視手順例を示すフローチャートである。
【０００９】
図１に示す昇降機遠隔監視システムは、エレベーターなどの昇降機１を制御する制御盤２と、この制御盤２に接続されて昇降機１を監視する監視装置３と、この監視装置３に電話回線４を介して接続される監視センター５とを備えている。電話回線４には、一般電話６が接続されている。昇降機１の乗りかご１Ａは、制御盤２により、制御されて昇降路内を昇降するようにしてある。
【００１０】
監視装置３は、図２に示すように、ＭＰＵ（中央処理装置）７、ナンバーディスプレ（ＮＤ）８、ＲＯＭ（読出し専用メモリ）９、ＲＡＭ（読出し書込みメモリ）１０、Ｉ／Ｏ（入出力ポート）１１、モデム１２、音声合成装置１３及びＮＣＵ１４を、少なくとも備えている。ＭＰＵ７、ナンバーディスプレ８、ＲＯＭ９、ＲＡＭ１０、Ｉ／Ｏ１１、モデム１２、音声合成装置１３及びＮＣＵ１４は、バス１５で接続されている。ナンバーディスプレ８、モデム１２及び音声合成装置１３は、ＮＣＵ１４を介して電話回線４に接続される。
【００１１】
監視装置３は、Ｉ／Ｏ１１に接続された制御盤２の状態を監視する機能を有している。監視装置３には、ＮＣＵ１４に接続された電話回線４を介して監視センター５及び一般電話６が接続されている。監視装置３のＲＡＭ１０には、監視センター５の電話番号が予め記憶されている。監視装置３のＲＯＭ９には、制御盤２の状態を監視するための監視プログラムが予め記憶されている。音声合成装置１３には、間違い電話である旨などの音声を送信元電話番号の送信元に送信する機能を有している。
【００１２】
次に、上記実施形態の昇降機遠隔監視システムによる監視手順例を、図３に基づいて、詳説する。
【００１３】
まず、上記実施形態の昇降機遠隔監視システムにおいて、通常状態では、監視装置３は、ＲＯＭ９に記憶されている監視プログラムにより、制御盤２の状態をＩ／Ｏ１１を介して監視しており、監視センター５から昇降機１の状態を確認する指令が監視装置３に発せられると、電話回線４が電話呼び出し状態となる。これにより、監視装置３では、ＮＣＵ１４を介してナンバーディスプレ８及びモデム１２に呼び出し信号が入力される。
【００１４】
呼び出し信号がナンバーディスプレ８に入力されると、図３のステップＳ１に示すように、情報受信端末起動信号があるか否かを判定する。図３のステップＳ１において、情報受信端末起動信号があると判定された場合には、図３のステップＳ２に示すように、電話番号受信動作を行い、図３のステップＳ３に進む。
【００１５】
図３のステップＳ３では、図３のステップＳ２で受信した送信元電話番号と監視装置３のＲＡＭ１０に予め記憶されている監視センター５の電話番号とが一致するか否かを判定する。図３のステップＳ３において、図３のステップＳ２で受信した送信元電話番号と監視センター５の電話番号とが一致した場合には、図３のステップＳ４に進む。
【００１６】
図３のステップＳ４では、監視装置３のＭＰＵ７の指令により監視装置３のＮＣＵ１４を動作させて、電話回線４が監視装置３に接続された状態にすることにより、監視センター５に異常通報などの通信を行う。その後、その通信が終了したならば、監視装置３のＭＰＵ７の指令により監視装置３のＮＣＵ１４を動作させて、監視装置３に接続された電話回線４を切断する。
【００１７】
図３のステップＳ３において、一般電話６からの間違い電話などにより、図３のステップＳ２で受信した送信元電話番号と監視センター５の電話番号とが一致しない場合には、図３のステップＳ５に進む。
【００１８】
図３のステップＳ５では、監視装置３のＭＰＵ７の指令により、監視装置３のＮＣＵ１４を動作させて、電話回線４が監視装置３に接続された状態にすると共に、音声合成装置１３を動作させて、例えば、「この電話番号は、昇降機の監視用回線です。電話番号をご確認下さい。」などの音声メッセージを、間違い電話の送信元に電話回線４により、送信した後、監視装置３に接続された電話回線４を、即座に切断する。
【００１９】
以上のように、上記実施形態の昇降機遠隔監視システムによれば、一般電話６から監視装置３に間違い電話が掛かってきた場合に、その間違い電話が監視装置３に接続されて、監視装置３から間違い電話の送信元に音声メッセージが送信され、その後、その間違い電話の電話呼び出しが監視装置３から自動的に切断させられるため、監視装置３への電話呼び出しが継続したままの状態となることがないので、昇降機の異常がいつ発生しても、監視装置から監視センターへの異常通報を、電話回線４を利用して、確実に行うことができる。また、監視装置３から間違い電話の送信元に、音声メッセージが送信されるので、監視装置３にて電話回線４を切断しても、その送信元に不快感を与えることがない。
【００２０】
上記実施形態においては、間違い電話があった場合、音声メッセージを間違い電話の送信元に電話回線４により送信するようにしているが、これに限定されない。電話回線４を一旦接続した後、音声メッセージを送信しないで、即座に監視装置３に接続された電話回線４を切断するようにしてもよい。また、上記実施形態では、ナンバーディスプレ８とモデム１２を別々に設けるようにしているが、これに限定されない。監視装置３に内蔵されたモデム１２に、ナンバーディスプレ８の機能を含ませるようにすることも可能である。
【００２１】
なお、電話番号非通知設定で一般電話６から監視装置３に電話が掛かってきた場合であっても、監視装置３から音声メッセージを送信元に送信した後に、監視装置３に接続された電話回線４を即座に切断する、若しくは電話回線４を一旦接続した後、音声メッセージを送信しないで、即座に監視装置３に接続された電話回線４を切断するようにすれば、電話番号通知設定の場合と同様に、電話呼び出し状態を解消することができる。
【図面の簡単な説明】
【００２２】
【図１】本発明の一実施形態を示す昇降機遠隔監視システム全体の機能ブロック図である。
【図２】本発明の一実施形態を示す昇降機遠隔監視システムに係わる監視装置の機能ブロック図である。
【図３】本発明の一実施形態に係わる昇降機遠隔監視手順例を示すフローチャートである。
【符号の説明】
【００２３】
１    昇降機
２    制御盤
３    監視装置
４    電話回線
５    監視センター
６    一般電話
７    ＭＰＵ
８    ナンバーディスプレ
９    ＲＯＭ
１０  ＲＡＭ
１１  Ｉ／Ｏ
１２  モデム
１３  音声合成装置
１４  ＮＣＵ
１５  バス
【図１】
2005272062.tif 000003
【図２】
2005272062.tif 000004
【図３】
2005272062.tif 000005